(57)【要約】  デジタルマルチカラー印刷機、特に電子写真的に作動する、好ましくはシート印刷する印刷機のための印刷ユニットであって、印刷画像の転写のための少なくとも１つの転写要素（１１）、好ましくは画像形成シリンダ（３１）および／またはゴムブランケットを担持しているシリンダとを含む。本発明は、より少ない色で、すなわち同じ印刷機によりマルチカラープリントを生成させる場合よりも費用対効果の高い方式で、高画質プリントの生成をも可能にするマルチカラー印刷機を提供する。本発明によれば、この目的は、デジタルマルチカラー印刷機用の印刷ユニットにより達成され、当該印刷ユニットは転写要素（１１）が転写位置から非作動位置に移動することを特徴とする。
2010527031.tif 000002
【特許請求の範囲】
【請求項１】
電子写真的にシート印刷する印刷機を含むデジタルマルチカラー印刷機用の印刷ユニットであって、
前記印刷ユニットが、印刷画像の転写のための少なくとも１つの転写要素および画像形成シリンダとを含み、
前記転写要素を転写位置から非作動位置に移動させることができる、印刷ユニット。
【請求項２】
前記転写要素がゴムブランケットシリンダである、請求項１に記載の印刷ユニット。
【請求項３】
前記ゴムブランケットシリンダを、画像形成シリンダもしくは印刷材料搬送ベルトまたはこれらの両方と接触した状態で間接的に回転せしめることができる、請求項２に記載の印刷ユニット。
【請求項４】
前記転写要素が、前記印刷機の印刷材料経路内に移動すること、および、前記印刷機の印刷材料経路外に移動することができる、請求項１に記載の印刷ユニット。
【請求項５】
前記転写要素が、前記印刷材料経路に沿って前記印刷材料を搬送する搬送ベルトに沿う印刷材料から離れることができる、請求項４に記載の印刷ユニット。
【請求項６】
前記転写要素が転写ウェブを案内および運搬する、請求項１に記載の印刷ユニット。
【請求項７】
前記転写要素が偏心配置による枢動により出入りする、請求項１に記載の印刷ユニット。
【請求項８】
前記転写要素がレバーシステムにより移動する、請求項１に記載の印刷ユニット。
【請求項９】
前記転写要素がスライディングガイドにより移動する、請求項１に記載の印刷ユニット。
【請求項１０】
前記転写要素が案内経路に沿って移動する、請求項１に記載の印刷ユニット。
【請求項１１】
前記転写要素が軸方向に移動する、請求項１に記載の印刷ユニット。
【発明の詳細な説明】
【技術分野】
【０００１】
本発明は、印刷画像の転写のための少なくとも１つの転写要素、好ましくは画像形成シリンダおよび／またはゴムブランケットを担持しているシリンダを含む、デジタルマルチカラー印刷機用、特に電子写真的に作動するシート印刷用の印刷機用の印刷ユニットに関する。
【背景技術】
【０００２】
デジタル印刷機の分野では、通常、高画質であるが比較的費用のかかるカラープリントを生じ、この目的のためには、標準色のシアン、マゼンタ、イエローおよびブラックおよび／またはカスタムカラーと任意選択的に光沢コーティングを用いる４または５つの印刷ユニットを有するマルチカラー印刷機がある。一方、より費用対効果が高く、画質の点からより単純でもある単色プリントを生じる黒白印刷機がある。時には、２色印刷機、あるいは、例えば、単色プリントにカスタムカラープリントを加える下流側の単純な印刷機もある。
【０００３】
しかしながら、市場では、高画質カラープリント、好ましくは高光沢仕上げの高画質カラープリントを生じることのできるデジタルマルチカラー印刷機への要望が益々高まっている。ほとんどの場合、かかる印刷機は、それらの能力の１００％ではないが高い割合で使用される。従って、かかる印刷機の利用を増進することが望ましいであろう。
【０００４】
この問題を解決するための他の試みでは、ある程度の成果があった。一般的に、電子写真プリンターを、印刷ユニットの数が異なる様々なモード、具体的には、米国特許第６，１０８，０１７号明細書に記載されているような黒白モードおよびカラーモードで運転することが知られている。コントローラーは、単色印刷モードでは、カラー印刷モードにおけるよりも速く黒色画像データを送信する。米国特許出願第２００３／０２０２１９９号明細書には、黒色および白色ロックモードを有するカラープリンターが記載されている。カラーモードへのアクセスはアクセスコードを必要とする。この方法は、その他の印刷ユニットがまだ接触している際に、シングルパスプリンターに対してのみ、トナーを節約する。一方、印刷技術の他の分野から、米国特許第５，１６７，１８７号明細書に記載されているように、印刷シリンダを係合（engage）または脱係合（disengage）させることが知られている。米国特許第５，１６７，１８７号では、ブランケットシリンダのためのスローオン（throw-on）およびスローオフ（throw-off）装置が偏心ブッシングの両端に備え付けられ、それらのスローオン／スローオフ動作がトグル様連結により生じる。別の解決法が米国特許第４，８３３，９８２号明細書に記載されている。米国特許第４，８３３，９８２号では、印刷シリンダのうちの少なくとも１つを脱係合させるためにクランク配置が用いられる。米国特許第４，５２６，０９９号明細書には、回転式印刷機用のリバーシブルカラーデッキ装置が記載されている。ブランケットロールの回転軸を２つの異なる位置で移動させることができ、それにより紙ウェブの片側または反対側に特定の色を印刷することができる。
【先行技術文献】
【特許文献】
【０００５】
【特許文献１】米国特許第６，１０８，０１７号明細書
【特許文献２】米国特許出願公開第２００３／０２０２１９９号明細書
【特許文献３】米国特許第５，１６７，１８７号明細書
【特許文献４】米国特許第４，８３３，９８２号明細書
【特許文献５】米国特許第４，５２６，０９９号明細書
【発明の概要】
【発明が解決しようとする課題】
【０００６】
従って、本発明の目的は、同じ印刷機によりマルチカラープリントを生成させる場合よりも費用対効果の高い方式で、より少ない色で高画質プリントの生成をも可能にするデジタルマルチカラー印刷機を提供することである。
【課題を解決するための手段】
【０００７】
本発明によると、この目的は、転写要素を転写位置から非作動位置に移動させることができることを特徴とする、デジタルマルチカラー印刷機のための印刷ユニットにより達成される。
【０００８】
従って、この方式では、都合良いことに、マルチカラー印刷機を、より少ない数、すなわち、全印刷ユニット数よりも少ない数の印刷ユニットにより任意選択的に作動させることができる。その結果、個々の印刷ユニットの不使用のために、一刷り当たりの費用を減少させることができ、印刷機は、その通常の印刷品質で、任意選択的に、例えば高光沢で、印刷を続ける。高光沢は、特別な印刷処理によって、例えば電子写真融着によって、または最後の印刷ユニットにおいてコーティングを付与することによって、達成できる。この結果として、単色印刷装置へのさらなる投資を完全に回避することができる。
【０００９】
本発明の一実施態様は、２つの異なる位置に移動させることができる転写要素がゴムブランケットシリンダであるものを提供する。オフセット印刷機には典型的なものであるがデジタル印刷機、特に電子写真印刷機でも往々にして使用されるかかるゴムブランケットシリンダは、印刷品質の印刷材料の品質への依存が小さいという長所、すなわち高印刷品質を非常に広範な様々な品質の印刷材料にわたって達成できるという長所をもたらす。
【００１０】
本発明によると、かかるゴムブランケットシリンダは、当該ゴムブランケットシリンダが画像形成シリンダおよび／または印刷材料搬送ベルトと接触しているときに間接的に回転せしめることができる場合に、ゴムブランケットシリンダ自体を直接駆動させずに、特に単純な方式で非作動位置に移動させることができる。２つの位置に移動させることのできる転写要素を、好ましくは、印刷機の印刷材料経路から移動させるか、または印刷材料経路に沿って印刷材料を搬送する搬送ベルトに沿う印刷材料から離すことができる。かかる転写要素は、例えば、具体的には、当該転写要素が印刷材料から例えば約１０ミリメートルの距離にある場合には、非作動的であると見なすことができる。
【００１１】
本発明は、特に、色分解を集めて画像形成する画像形成ウェブであって、電子写真印刷機の画像形成シリンダの代わりに使用される画像形成ウェブを有するか、あるいは、色分解が印刷材料に転写される前に画像形成シリンダ上にすでに画像形成された色分解を集めるための転写ウェブ（すなわち、この後者のウェブはゴムブランケットシリンダの代わりに使用され、そのため、かかる転写ウェブを案内および運搬する少なくとも１つの転写要素が存在する）を有する印刷ユニットにおいて使用できる。本発明に従って転写要素の位置を変えることによって、印刷材料に及ぼす転写ウェブの影響を防止することができる。換言すれば、例えば、ゴムブランケットシリンダのゴムブランケットは、３６０度を完全に覆っている必要はなく、前記ブランケットは、前記ゴムブランケットシリンダをほんの部分的に覆っていてもよく、この場合には、その覆っている領域において本発明に従って変えることのできる印刷ニップを形成できる。
【００１２】
転写要素の本発明の位置変化は、機械的手段による様々なやり方で達成できる。例えば、転写要素は、偏心配置による枢動により出入りすることができる。別の選択肢としては、レバーシステムによって転写要素を移動させることができるというものが考えられる。例えば、転写要素は、スライディングガイドによって移動させることもできる。別の選択肢としては、転写要素を案内経路に沿って移動させることができるというものが考えられる。特に、転写要素は、その軸方向に直交する方向に移動させることができるが、軸方向に移動させることもできる。
【図面の簡単な説明】
【００１３】
【図１】図１は、本発明に係る位置可変な転写要素の第１の実施態様の概略図である。
【図２】図２は、本発明に係る位置可変な転写要素の第２の実施態様の概略図である。
【図３】図３は、本発明に係る位置可変な転写要素の第３の実施態様の概略図である。
【図４】図４は、本発明に係る位置可変な転写要素の第４の実施態様の概略図である。
【図５】図５は、図４に示した本発明に係る位置可変な転写要素を使用する第４の実施態様の詳細斜視図である。
【図６】図６は、本発明に係る位置可変な転写要素の第５の実施態様の断面図である。
【図７】図７は、本発明に係る位置可変な別の実施態様の詳細斜視図である。
【図８】図８は、図７の転写要素の前側を示す。
【発明を実施するための形態】
【００１４】
図１は、本発明に係る位置可変な転写要素の第１の実施態様の概略図を示す。この実施態様では、転写要素１１は、スライディングガイド１２またはキャリッジガイドにより案内されるので、スライディング方式で配置される。画像を生成させる画像形成シリンダ３１および画像を転写させることができる搬送ベルト３０が図示されている。
【００１５】
図２は、本発明に係る位置可変な転写要素の第２の実施態様の概略図を示す。この実施態様では、転写要素１１は、レバーシステム１３にヒンジ結合されており、そのため枢動可能な様式で配置されている。画像を生成させることのできる画像形成シリンダ３１および画像を転写させることのできる搬送ベルト３０が図示されている。
【００１６】
図３は、本発明に係る位置可変な転写要素の第３の実施態様の概略図を示す。この実施態様では、転写要素１１は、案内経路１４内で支持されており、そのためカム上で移動可能であり、転写要素が枢動により出る様式で配置されている。画像を生成させることのできる画像形成シリンダ３１および画像を転写させることのできる搬送ベルト３０が図示されている。
【００１７】
図４は、本発明に係る位置可変な転写要素の第４の実施態様の概略図を示す。この実施態様では、転写要素１１は、偏心配置１５により支持されており、そのため転写要素が接近または後退することができる様式で配置されている。画像を生成させることのできる画像形成シリンダ３１および画像を転写させることのできる搬送ベルト３０が図示されている。
【００１８】
図５は、図４に示したような本発明に係る位置可変な転写要素１１の第４の実施態様の可能な実施態様の詳細斜視図を示す。この図では、偏心配置１５は、クランクシャフトの様式で構成される。
【００１９】
例えば、転写要素１１は、ゴムブランケットシリンダであることができ、ゴムブランケットシリンダは、図５では、たんに基本構造体として描かれており、この上にスリーブ状シリンダ体を配置することができる。その前側において、このシリンダ体は、フランジ１６により閉じており、軸に平行な支柱１７により支持されている。フランジ１６は、ローラーベアリング１８により回転することができ、転写要素１１の回転軸１９上で支持されている。この回転軸１９の両端は、カム２０に嵌め込まれているため、これらのカム２０は回転軸１９と共にクランクシャフト構成を成している。このクランクシャフト構成は、カム２０のうちの少なくとも１つの中心から、外側に延びる軸ピン２１が設けられており、軸ピン２１は少なくとも１つのローラーベアリング２２で支持されているという点で連続している。ラジアルレバーアーム２３に触れることにより、カム２０を調節でき、その結果、カム２０に連結している回転軸１９が枢動し、そのため転写要素１１の位置が変化する。この結果、転写要素１１を作動位置から非作動位置に移動させることができる。例えば、レバーアーム２３を２つの機能を有するシリンダ、例えば空気圧シリンダと接触させることができる。
【００２０】
図６は、本発明に係る位置可変のゴムブランケット２９を有する転写要素１１の第５の実施態様を示す。図５に示されているように、転写要素１１は、ローラーベアリング１８上の回転軸１９上に回転可能に支持されている。しかし、この場合、転写要素１１を非作動位置に移動させることができるようにするために、転写要素を軸方向にさらにシフトできるよう、転写要素１１を回転軸１９上に配置される。これを実現するために、転写要素の前側で手段２４により転写要素を解放し、図６の例では回転軸１９の右側に転写要素をシフトすることができる。この結果、コーン２５および２６はフランジ２７および２８との係合状態を脱する。転写要素１１を図６に示されているようなその作動位置に再挿入するために、これらのコーンを、例えばジャミングによる転写要素１１への損傷を防止するための再スレッディング、案内および中心合わせのために使用してもよい。
【００２１】
図７は、図４に示したような本発明に係る位置可変な転写要素１１の第４の実施態様の別の実施態様の詳細斜視図を示し、この図では、偏心配置５がクランクアームの様式で構成されている。図４と比較した図７の偏心配置の違いは、クランクアーム１５の枢動半径が転写要素の半径よりも大きく、転写要素の外側にあるということである。
【００２２】
例えば、転写要素１１はゴムブランケットシリンダであることができる。図７に示されているように、このシリンダ体は、クランクアーム１５内に収容されているベアリング（図示せず）によりその軸上に支持されている。クランクアーム１５は、クランクアーム支持位置２６および２７（図では２７は隠れている）により形成された回転軸上で回転することができる。クランクアーム支持位置は、摩擦および位置の変動が最低限になるようにベアリング内に設定されている。クランクアームは時計回りまたは反時計回りに回転することができ、ブランケット要素をゴムブランケット２９に係合または脱係合させる。この回転は、図７に示されているようなエアシリンダ３３（例として）により達成できる。転写要素１１とゴムブランケット２９の間に形成されるニップを調節可能にするために、支持点２６および２７の位置をマウント構造体８に対して変えることもできる。この調節機能は、マウント構造体２８内に備え付ける軸に対してわずかに偏心しているスリーブで支持されている支持点２６および２７により可能になった。スリーブ３４は、スリーブ３４の端部に取り付けられたウォームギアセグメントにより回転できる。
【００２３】
図８は、転写要素の前側を示し、この転写要素は、クランクアーム１５が係合位置にあるときにはクランプ３６（図８参照）により支持ハウジング３２に固定され、クランクアーム１５が脱係合位置にあるときには解放されるベアリングによりその軸上で支持されている。クランプ３６の移動は、図８に示すようにエアシリンダ３３（例として）によって達成できる。
【００２４】
本発明を特定の好ましい実施態様を参照して詳しく説明したが、当然のことながら、本発明の範囲内で変更及び改良を行うことができる。
【符号の説明】
【００２５】
１１    転写要素
１２    スライドガイド
１３    レバーシステム
１４    案内経路
１５    偏心配置
１６    フランジ
１７    軸平行な支柱
１８    ローラーベアリング
１９    回転軸
２０    カム
２１    軸ピン
２２    ローラーベアリング
２３    レバーアーム
２４    手段
２５    コーン
２６    コーン
２７    フランジ
２８    フランジ
２９    ゴムブランケット
３０    搬送ベルト
３１    画像形成シリンダ
３２    支持ハウジング
３３    エアシリンダ
３４    スリーブ
３５    ギア要素
３６    クランプ
【図１】
2010527031.tif 000003
【図２】
2010527031.tif 000004
【図３】
2010527031.tif 000005
【図４】
2010527031.tif 000006
【図５】
2010527031.tif 000007
【図６】
2010527031.tif 000008
【図７】
2010527031.tif 000009
【図８】
2010527031.tif 000010
【国際調査報告】
2010527031.tif 000011
2010527031.tif 000012
2010527031.tif 000013